(57)【特許請求の範囲】
【請求項１】
綴じ具を表紙に固定するファイル用綴じ具の脱着装置であって、
基材と固定部材とを備え、
前記基材は、基材本体と、該基材本体に突起状の被嵌合体と、該被嵌合体の側方に爪とを有し、
前記固定部材は、前記被嵌合体と嵌合する嵌合体を有し、
前記綴じ具と前記表紙とを貫通する孔に前記被嵌合体を挿通し、前記基材本体と前記爪との間に該綴じ具と該表紙とを係合させた状態において前記嵌合体を該被嵌合体に嵌合すると、該爪が前記側方に支持されて該綴じ具と該表紙とが固定される、
ファイル用綴じ具の脱着装置。
【請求項２】
前記被嵌合体と前記爪とはそれぞれ少なくとも一対、該爪が互いに反対方向を向くように配置され、
前記嵌合体は、対となる二つの前記被嵌合体の間に嵌合されることで前記爪を前記側方に支持する、
請求項１に記載のファイル用綴じ具の脱着装置。
【請求項３】
前記爪は、前記挿通方向にテーパ形状をなす、
請求項１又は２に記載のファイル用綴じ具の脱着装置。
【発明の詳細な説明】
【技術分野】
【０００１】
本発明は、ファイル用綴じ具の脱着装置に関する。
【背景技術】
【０００２】
書類等を綴じるファイルは、金属等からなる綴じ具と紙やプラスチック等からなる表紙とで構成される。綴じ具は、リベット等を用いて表紙に固定する方法が一般的である。
【０００３】
近年、地球環境問題への関心が高まり、資源を有効にリサイクルするため工業製品の分別廃棄が積極的に行われている。ファイルに関しては、材質の異なる綴じ具と表紙とを分別廃棄することが可能であることが求められる。また、分別廃棄のみならず、使用可能な綴じ具と表紙とを組み合わせることで部品を再利用することが可能なことも求められる。このため、リベット等を用いた固定方法に代わり、基材とくさび部材とを組み合わせることで綴じ具と表紙とを脱着することが可能な固定方法が開発されている（例えば特許文献１）。
【特許文献１】特許第３４２１９１３号公報
【発明の開示】
【発明が解決しようとする課題】
【０００４】
しかしながら、基材とくさび部材とを用いた固定方法によれば基材に仮止め機構がなく、くさび部材が基材に挿入されるまでの間、綴じ具と基材は表紙に固定されていない為、生産時の組み付けや、脱着操作時に不安定であるという問題があった。
【０００５】
そこで本発明は、基材に仮止め機構を設け、さらにその仮止め機構を利用して綴じ具を表紙に固定するようにすることで、簡易な構造で、かつ生産時の組み付けや、脱着操作時に安定し、操作もしやすいファイル用綴じ具の脱着装置を提供することを課題とする。
【課題を解決するための手段】
【０００６】
本発明は、上述の課題を解決するため、ファイル用綴じ具の脱着装置であって、突起状の被嵌合体と被嵌合体の側方に爪とを有し、綴じ具と表紙とを貫通する孔に被嵌合体を挿通し、基材本体と爪との間に綴じ具と表紙とを係合させた状態において嵌合体を被嵌合体に嵌合し、爪を側方に支持して綴じ具と表紙とを固定する。
【０００７】
詳細には、本発明は、綴じ具を表紙に固定するファイル用綴じ具の脱着装置であって、基材と固定部材とを備え、基材は、基材本体と、基材本体に突起状の被嵌合体と、被嵌合体の側方に爪とを有し、固定部材は、被嵌合体と嵌合する嵌合体を有し、綴じ具と表紙とを貫通する孔に被嵌合体を挿通し、基材本体と爪との間に綴じ具と表紙とを係合させた状態において嵌合体を被嵌合体に嵌合すると、爪が側方に支持されて綴じ具と表紙とが固定される。
【０００８】
上述のファイル用綴じ具の脱着装置は、基材と固定部材とを主要な構成要素としている。基材は、基材本体に突起状の被嵌合体を有している。突起状の被嵌合体は、側方に爪を有する。爪は、被嵌合体が綴じ具と表紙とを貫通する孔に挿通された状態において、基材本体との間に綴じ具と表紙とを挟んで係合する。
【０００９】
係る基材のみでも綴じ具と表紙とを係合することは可能である。しかしながら、基材のみによる係合では綴じ具に綴じられた書類の重量に耐えられない。一方、爪を大きくして外れにくくすると、綴じ具と表紙とを分離することが困難になる。そこで、被嵌合体は、
固定部材を嵌めることが可能な嵌合構造とする。嵌合構造は固定部材を把持することが可能な形状、例えば孔形状やフック形状が考えられる。被嵌合体に固定部材が嵌合されることで、被嵌合体の側方に配設された爪が側方の方向に支持される。爪が側方の方向に支持されることで爪の動きが制限され、綴じ具と表紙との係合状態が保持される。なお、ここで側方とは突起状の被嵌合体の突出方向に対して側面側をなす方向であり、例えば嵌合体が綴じ具と表紙とを貫通する孔に挿通された状態において表紙や綴じ具と平行となる方向である。
【００１０】
本発明に係る爪は被嵌合体の側方に配設され、固定部材が爪を側方に支持することで係合状態を維持している。この爪は、綴じ具と表紙とを係止可能な程度の大きさであればよい。また、固定部材も同様、単に爪の動きを阻止すればよいため多くの空間を必要としない。
【００１１】
以上、上述した爪と固定部材とが協働することにより、綴じ具と表紙との脱着を可能にし、且つ簡易な構造で、生産時の組み付けや、脱着操作時に安定し、操作もしやすくなる。
【００１２】
ここで、上述のファイル用綴じ具の脱着装置において、被嵌合体と爪とはそれぞれ少なくとも一対、爪が互いに反対方向を向くように配置され、嵌合体は、対となる二つの被嵌合体の間に嵌合されることで爪を側方に支持するようにしてもよい。
【００１３】
二つの被嵌合体は互いに対峙するようにして基材本体に配設されており、更に二つの爪が互いに反対方向を向いている。よって、対となる二つの被嵌合体の間に嵌合体を挟むようにするだけで爪がそれぞれ側方に支持され、爪の動きが阻止される。二つの被嵌合体は間に挟んだ嵌合体が容易に脱落しない程度の保持力を有する嵌合構造をそれぞれ設ければよく、また二つの被嵌合体は嵌合体を介して互いにそれぞれの爪を側方に支持する関係となるため、被嵌合体をより簡易な構造にすることが可能となる。
【００１４】
ここで、上述のファイル用綴じ具の脱着装置において、爪は、挿通方向にテーパ形状をなすようにしてもよい。
【００１５】
爪が挿通方向に対してテーパを有しているため、被嵌合体をスムーズに綴じ具と表紙とを貫通する孔に挿通することが可能である。被嵌合体を孔に挿通するだけで綴じ具と表紙とを係合させることが可能となるため、ファイルを生産したり部品を再利用したりする際、綴じ具と表紙と基材の３点の部品を同時に把持しなくても、嵌合体を被嵌合体に嵌めることが可能となる。
【発明の効果】
【００１６】
本発明によれば、綴じ具と表紙との脱着を簡易な構造で可能にし、且つ生産時の組み付けや、脱着操作時に安定し、操作もしやすいファイル用綴じ具の脱着装置を提供することが可能となる。
【発明を実施するための最良の形態】
【００１７】
以下、本発明を実施するための最良の形態を例示的に説明する。以下に示す実施形態は例示であり、本発明はこれらに限定されない。
【実施例１】
【００１８】
図１は、本発明の一実施形態（以下、実施形態１という）に係るファイル用綴じ具の脱着装置１によって綴じ具２と表紙３とが固定されたファイル４の斜視図である。本実施形態においては、パイプ式の綴じ具２を表紙３に固定している。しかし、本発明に係るファ
イル用綴じ具の脱着装置１は、パイプ式のみならずリング式等の綴じ具に適用してもよい。また、綴じ具２を表紙３の背の部分に固定するものに限られず、裏表紙の部分に固定するファイルに適用してもよい。
【００１９】
図２に示すように、本実施形態に係るファイル用綴じ具の脱着装置１は、基材５と固定部材６とにより構成される。図３は基材５の上面図を、図４は基材５のＡ−Ａ断面図を、図５は基材５の側面図をそれぞれ示す。図３、４、５において示すように、基材５は、基材本体７と、基材本体７に突起状の被嵌合体８Ａ、９Ａと、被嵌合体８Ａ、９Ａのそれぞれ側方に爪８Ｂ、９Ｂとを有している。また、被嵌合体８Ａ、９Ａは、固定部材６を把持するための被嵌合部８Ｃ、９Ｃを有する。また、固定部材６の脱落を止める突起１０、１１を有する。
【００２０】
基材本体７は、図１において示すように、綴じ具２と表紙３とを固定するとファイル４の外側の背表紙部分に位置することになる。このため、基材本体７が大きすぎるとファイル４を書架に並べた際に見栄えが悪く、背見出し等で覆い隠すことが困難となる。このような理由から、基材本体７は図３に示すように薄い板状にすることが好ましい。
【００２１】
被嵌合体８Ａ、９Ａは、基材本体７から突起状に配設されている。被嵌合体８Ａ、９Ａの高さは、綴じ具２の座金と表紙３とを重ね合わせた厚さよりも高くする。綴じ具２と表紙３とを貫通する孔１２、１３に挿通するためである。また、被嵌合体８Ａ、９Ａの側方には、爪８Ｂ、９Ｂが配設されている。爪８Ｂ、９Ｂと基材本体７との間隙は、綴じ具２の座金と表紙３とを重ね合わせた厚さと同等になるようにする。基材本体７と爪８Ｂ、９Ｂとの間に綴じ具２と表紙３とが挟まるようにするためである。また、爪８Ｂ、９Ｂのある側面と反対側の面には、嵌合体１４を嵌めて固定部材６を保持する被嵌合部８Ｃ、９Ｃを形成する。基材５は、プラスチックを金型に射出等することにより形成する。
【００２２】
図６は固定部材６の上面図を、図７は固定部材６のＢ−Ｂ断面図をそれぞれ示す。図６、７において示すように、固定部材６は嵌合体１４と操作部１５とにより構成される。嵌合体１４は、被嵌合部８Ｃ、９Ｃに嵌るように形成されている。操作部１５は、固定部材６の脱着を容易せしめるために設けられる。嵌合体１４は、被嵌合部８Ｃ、９Ｃに嵌合されると爪８Ｂ、９Ｂを側方に支持する役割を果たす。爪８Ｂ、９Ｂは側方に支持されることで動きが阻止され、綴じ具２と表紙３との係止状態が保持されることになる。なお、固定部材６は、基材５と同様プラスチックを金型に射出等することにより形成する。
【００２３】
綴じ具２と表紙３は、図８において示すように、被嵌合体８Ａ、８Ｂを挿通する孔１２、１３を備える。孔１２、１３は、被嵌合体８Ａ、８Ｂが挿通されると爪８Ｂ、９Ｂが綴じ具２に引っ掛かるように形成されている。
【００２４】
次に、綴じ具２を表紙３に固定する方法を説明する。綴じ具２と表紙３とを重ね、被嵌合体８Ａ、９Ａを孔１２、１３に挿通すると、図９の断面図が示すように爪８Ｂ、９Ｂが綴じ具２に引っ掛かった状態となる。図９において示すように、綴じ具２と表紙３は、基材本体７と爪８Ｂ、９Ｂとの間に挟まれることにより係止される。なお、本実施形態ではワンタッチで係止可能なように、爪８Ｂ、９Ｂが挿通方向にテーパ形状をなしている。
【００２５】
図９に示す係止状態により、生産工程時に振動等が加わっても綴じ具２と表紙３との係止状態が維持される。綴じ具２と表紙３とがワンタッチで係止可能であるため、生産工程時等において綴じ具２と表紙３とを容易に固定することが可能である。しかし、この状態では書類を綴じた綴じ具２の荷重に耐えられない。ここで、爪８Ｂ、９Ｂを大きくすることで荷重に耐えるようにする方法も考えられる。しかし、この方法では綴じ具２と表紙３とを分離することが困難になる。また、爪８Ｂ、９Ｂを大きくすると、書類の綴じ代の大
きさが制約される。そこで、図１０の断面図が示すように、爪８Ｂ、９Ｂの動きを阻止するための固定部材６を被嵌合体８Ａ、９Ａとの間に嵌合する。固定部材６が嵌合されることで被嵌合体８Ａ、９Ａの側方方向の動きが固定され、書類の荷重が加わっても爪８Ｂ、９Ｂの係止状態が保持される。
【００２６】
本実施形態に係るファイル用綴じ具の脱着装置１は多大な空間を必要としないため、書類等の綴じ代の大きさをほとんど制約することなく、綴じ具２を表紙３に脱着容易に固定することが可能となる。また、固定部材６を嵌合しなくても基材５のみで綴じ具２と表紙３とを仮止めすることが可能である。即ち、固定部材６を嵌合する際、綴じ具２、表紙３、基材５の３点を同時に保持しながら固定部材６を嵌合するという困難な作業を強いられずに済む。このような効果は工場での生産を効率化するのみでなく、ユーザが部品同士を組み合わせる際の作業を容易にする。
【実施例２】
【００２７】
以下、上述した実施形態１の変形例（以下、実施形態２という）について説明する。なお、説明の便宜上、実施形態１との相違点のみについて説明する。また、実施形態１と同様の構成要素については同一の符号を用いて説明する。
【００２８】
実施形態２に係る基材５は、図１１において示すように、基材本体７が爪８Ｂと爪９Ｂとの間隙を調整可能な伸縮部１６を有する形状としている。これによれば、爪８Ｂ、９Ｂをテーパ状にしなくても孔１２、１３に挿通可能である。このような伸縮部１６は、Ｗ字状の棒により連結することで実現される。Ｗ字状の棒により構成される伸縮部１６がアコーディオン状に動作することで伸縮可能となる。また、伸縮部１６を有する基材５によれば、爪８Ｂと爪９Ｂとの間隙の寸法に高い加工精度を要せず、孔１２、１３の位置が多少異なる綴じ具２、表紙３にも同一の基材５を用いることが可能になる。
【実施例３】
【００２９】
以下、上述した実施形態１の変形例（以下、実施形態３という）について説明する。なお、説明の便宜上、実施形態１との相違点のみについて説明する。また、実施形態１と同様の構成要素については同一の符号を用いて説明する。
【００３０】
実施形態３に係る基材５は、図１２において示すように、被嵌合体８Ａ、９Ａが二対形成されている。また、これに対応する固定部材６も、図１３において示すように嵌合体１４を二つ備える。なお、図１４は、本実施形態に係る固定部材６のＣ−Ｃ断面図を示す。このように、一つの固定部材６に二つの嵌合体１４を設けることで、二つの嵌合体１４を一度の操作で脱着することが可能になる。また、図１５において、本実施形態に係るファイル用綴じ具の脱着装置１を用いて綴じ具２を表紙３に固定した際の断面図を示す。本実施形態に係るファイル用綴じ具の脱着装置１によれば、４つの爪により係止されるのでより強固に綴じ具２を表紙３に固定することが可能となる。なお、本発明は、被嵌合体８Ａ、９Ａが一対のものや二対のものに限定されるものでなく、三対以上有していてもよい。
【図面の簡単な説明】
【００３１】
【図１】実施形態１に係るファイル４の斜視図。
【図２】実施形態１に係るファイル用綴じ具の脱着装置１の斜視図。
【図３】実施形態１に係る基材５の上面図。
【図４】実施形態１に係る基材５のＡ−Ａ断面図。
【図５】実施形態１に係る基材５の側面図。
【図６】実施形態１に係る固定部材６の上面図。
【図７】実施形態１に係る固定部材６のＢ−Ｂ断面図。
【図８】実施形態１に係る被嵌合体８Ａ、８Ｂを孔１２、１３に挿通する方法を示す斜視図。
【図９】実施形態１に係る係止状態における綴じ具２、表紙３、基材５の断面図。
【図１０】実施形態１に係る綴じ具２、表紙３、基材５、固定部材６の係止状態における断面図。
【図１１】実施形態２に係る基材５の上面図。
【図１２】実施形態３に係る基材５の断面図。
【図１３】実施形態３に係る固定部材６の上面図。
【図１４】実施形態３に係る固定部材６のＣ−Ｃ断面図。
【図１５】実施形態３に係る綴じ具２、表紙３、基材５、固定部材６の係止状態における断面図。
【符号の説明】
【００３２】
１・・・・・・・・・・・・・・ファイル用綴じ具の脱着装置
２・・・・・・・・・・・・・・綴じ具
３・・・・・・・・・・・・・・表紙
４・・・・・・・・・・・・・・ファイル
５・・・・・・・・・・・・・・基材
６・・・・・・・・・・・・・・固定部材
７・・・・・・・・・・・・・・基材本体
８Ａ、９Ａ・・・・・・・・・・被嵌合体
８Ｂ、９Ｂ・・・・・・・・・・爪
８Ｃ、９Ｃ・・・・・・・・・・被嵌合部
１０、１１・・・・・・・・・・突起
１２、１３・・・・・・・・・・孔
１４・・・・・・・・・・・・・嵌合体
１５・・・・・・・・・・・・・操作部
１６・・・・・・・・・・・・・伸縮部
【図１】
0004767763.tif 000002
【図２】
0004767763.tif 000003
【図３】
0004767763.tif 000004
【図４】
0004767763.tif 000005
【図５】
0004767763.tif 000006
【図６】
0004767763.tif 000007
【図７】
0004767763.tif 000008
【図８】
0004767763.tif 000009
【図９】
0004767763.tif 000010
【図１０】
0004767763.tif 000011
【図１１】
0004767763.tif 000012
【図１２】
0004767763.tif 000013
【図１３】
0004767763.tif 000014
【図１４】
0004767763.tif 000015
【図１５】
0004767763.tif 000016